(57)【要約】【課題】電池が劣化しても安全に使用できるパック電池を提供する。【解決手段】パック電池は、電池電圧が第１の充電禁止電圧まで上昇すると電池１の電流を遮断する主保護回路２と、電池電圧が第２の充電禁止電圧まで上昇すると電池１の電流を遮断するサブ保護回路３と、電池１の劣化を検出して主保護回路２とサブ保護回路３を制御する制御回路４とを備えており、第２の充電禁止電圧を第１の充電禁止電圧よりも低く設定している。制御回路４は、劣化度検出部１１と、設定劣化度を記憶するメモリ１２と、切換部１３を備える。パック電池は、電池１の劣化度が設定劣化度を超えない状態では、主保護回路２が動作状態にあって、電池１の電流を遮断する電圧を第１の充電禁止電圧としており、電池１の劣化度が設定劣化度を超えると、切換部１３がサブ保護回路３を動作状態として、電池１の電流を遮断する電圧を第２の充電禁止電圧に低下させる。【選択図】図１
2008198434.tif 000002
【特許請求の範囲】
【請求項１】
電池(1)の電圧を検出して電池電圧が第１の充電禁止電圧まで上昇すると電池(1)の電流を遮断する主保護回路(2)、(32)、(42)と、電池電圧が第２の充電禁止電圧まで上昇すると電池(1)の電流を遮断するサブ保護回路(3)、(33)、(43)と、電池(1)の劣化を検出すると共に主保護回路(2)、(32)、(42)回路とサブ保護回路(3)、(33)、(43)を制御する制御回路(4)とを備え、
前記第２の充電禁止電圧は前記第１の充電禁止電圧よりも低く設定され、さらに前記制御回路(4)は電池(1)の劣化を検出する劣化度検出部(11)と、サブ保護回路(3)、(33)、(43)を動作状態に切り換える設定劣化度を記憶するメモリ(12)と、劣化度検出部(11)で検出される検出劣化度をメモリ(12)に記憶する設定劣化度に比較してサブ保護回路(3)、(33)、(43)を動作状態に切り換える切換部(13)を備えており、
電池(1)の劣化度が設定劣化度を超えない状態にあっては、主保護回路(2)、(32)、(42)が動作状態にあって電池(1)の電流を遮断する電圧を第１の充電禁止電圧としており、電池(1)の劣化度が設定劣化度を超えると、切換部(13)がサブ保護回路(3)、(33)、(43)を動作状態として、電池(1)の電流を遮断する電圧を第１の充電禁止電圧から第２の充電禁止電圧に低下させるようにしてなるパック電池。
【請求項２】
電池(1)が設定劣化度よりも劣化する状態で、制御回路(4)は主保護回路(2)、(32)とサブ保護回路(3)、(33)の両方を動作状態とする請求項１に記載されるパック電池。
【請求項３】
主保護回路(2)、(32)、(42)とサブ保護回路(3)、(33)、(43)が、電池(1)の電圧を検出する電圧検出回路(5)と、電圧検出回路(5)で検出される電池電圧が充電禁止電圧まで上昇する状態でオンからオフに切り換えられるスイッチング素子(6)とを備える請求項１に記載されるパック電池。
【発明の詳細な説明】
【技術分野】
【０００１】
本発明は、主保護回路に加えてサブ保護回路を備えるパック電池に関し、とくに電池の劣化を検出してサブ保護回路を動作状態として劣化した電池の安全性を向上するパック電池に関する。
【背景技術】
【０００２】
パック電池は、電池の電圧が異常に高くなるのを防止するために保護回路を備えている。電池が異常な高電圧まで充電されると、安全性を低下させる原因となるからである。パック電池の保護回路は、電池の電圧を検出する電圧検出回路と、検出される電池電圧を充電禁止電圧に比較して、電池電圧が充電禁止電圧よりも高くなると電池の電流を遮断するスイッチング素子を備えている。保護回路を備えるパック電池は、充電されて電池電圧が充電禁止電圧まで上昇すると、スイッチング素子がオフに切り換えられて充電電流を遮断して、電池の電圧上昇を阻止する。このパック電池は、保護回路が正常に動作するかぎり、電池電圧が充電禁止電圧を超えることはない。ただ、保護回路が故障して正常に動作しなくなると、電池の充電電流を遮断できなくなって、電池電圧が異常に上昇する。この弊害を防止するために、主保護回路とサブ保護回路からなる二重の保護回路を設けるパック電池が開発されている。（特許文献１参照）
【特許文献１】特開２００１−３７０９６号公報
【発明の開示】
【発明が解決しようとする課題】
【０００３】
二重の保護回路を備えるパック電池は、主保護回路とサブ保護回路の両方を動作状態とするので、主保護回路が正常に動作しないときに、サブ保護回路が動作する。このため、主保護回路が故障してもサブ保護回路が動作して、電池の電圧上昇が制限される。ただ、このパック電池は、主保護回路が電池の電流を遮断する第１の充電禁止電圧よりも、サブ保護回路が動作する第２の充電禁止電圧を高く設定しているので、主保護回路が故障するときには、電池の電圧上昇がより高くなる。このことは、電池の異常な電圧上昇を阻止できても、サブ保護回路が動作する状態では、主保護回路が動作するよりも安全性が低くなる。
【０００４】
また、電池は使用するにしたがって経時的に劣化する。さらに、保護回路も、使用するにしたがって故障する確率が高くなる。特許文献１のパック電池は、主保護回路が故障する状態で電池が劣化していると、劣化した電池がより高い充電禁止電圧まで充電されることになって、安全に使用できなくなる。
【０００５】
本発明は、さらにこの欠点を解決することを目的に開発されたものである。本発明の重要な目的は、電池が劣化しても安全に使用できるパック電池を提供することにある。
【課題を解決するための手段】
【０００６】
本発明のパック電池は、前述の目的を達成するために以下の構成を備える。
パック電池は、電池１の電圧を検出して電池電圧が第１の充電禁止電圧まで上昇すると電池１の電流を遮断する主保護回路２、３２、４２と、電池電圧が第２の充電禁止電圧まで上昇すると電池１の電流を遮断するサブ保護回路３、３３、４３と、電池１の劣化を検出すると共に主保護回路２、３２、４２とサブ保護回路３、３３、４３を制御する制御回路４とを備えており、第２の充電禁止電圧を第１の充電禁止電圧よりも低く設定している。さらに、制御回路４は、電池１の劣化を検出する劣化度検出部１１と、サブ保護回路３を動作状態に切り換える設定劣化度を記憶するメモリ１２と、劣化度検出部１１で検出される検出劣化度をメモリ１２に記憶する設定劣化度に比較してサブ保護回路３、３３、４３を動作状態に切り換える切換部１３を備えている。パック電池は、電池１の劣化度が設定劣化度を超えない状態にあっては、主保護回路２、３２、４２が動作状態にあって、電池１の電流を遮断する電圧を第１の充電禁止電圧としており、電池１の劣化度が設定劣化度を超えると、切換部１３がサブ保護回路３、３３、４３を動作状態として、電池１の電流を遮断する電圧を第１の充電禁止電圧から第２の充電禁止電圧に低下させる。
【０００７】
本発明の請求項２のパック電池は、請求項１の構成に加えて、電池１が設定劣化度よりも劣化する状態において、制御回路４が、主保護回路２、３２とサブ保護回路３、３３の両方を動作状態とする。
【０００８】
本発明の請求項３のパック電池は、請求項２の構成に加えて、主保護回路２、３２、４２とサブ保護回路３、３２、４２が、電池１の電圧を検出する電圧検出回路５と、電圧検出回路５で検出される電池電圧が充電禁止電圧まで上昇する状態でオンからオフに切り換えられるスイッチング素子６とを備えている。
【発明の効果】
【０００９】
本発明のパック電池は、電池が劣化しても安全に使用できる特徴がある。それは、本発明のパック電池が、電池の劣化度が設定劣化度を超えない状態では、主保護回路を動作状態として、電池の電流を遮断する電圧を第１の充電禁止電圧とし、電池の劣化度が設定劣化度を超えると、サブ保護回路を動作状態として、電池の電流を遮断する電圧を第１の充電禁止電圧から第２の充電禁止電圧に低下させるからである。この構造のパック電池は、電池が劣化すると、動作状態となるサブ保護回路によって、電池の電流を遮断する充電禁止電圧を低くするので、劣化した電池の電圧上昇を低く制限してより安全に使用できる。
【００１０】
本発明の請求項２のパック電池は、電池が設定劣化度よりも劣化する状態において、主保護回路とサブ保護回路の両方を動作状態とするので、サブ保護回路が故障しても、電池の電圧上昇を阻止して安全に使用できる特長がある。それは、サブ保護回路が故障して正常に動作しない状態となって、電池電圧が第２の充電禁止電圧より上昇しても、動作状態にある主保護回路が第１の充電禁止電圧で電池の電圧上昇を阻止するので、電池電圧が第１の充電禁止電圧よりも高く上昇しないからである。したがって、このパック電池は、より高い安全性を実現できる。
【発明を実施するための最良の形態】
【００１１】
以下、本発明の実施例を図面に基づいて説明する。ただし、以下に示す実施例は、本発明の技術思想を具体化するためのパック電池を例示するものであって、本発明はパック電池を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図１に示すパック電池は、直列に接続している複数の充電できる電池１と、各々の電池１の電圧を検出して電池電圧が第１の充電禁止電圧まで上昇すると電池１の電流を遮断する主保護回路２と、電池電圧が第２の充電禁止電圧まで上昇すると電池１の電流を遮断するサブ保護回路３と、電池１の劣化を検出すると共に主保護回路２とサブ保護回路３を制御する制御回路４とを備える。
【００１４】
主保護回路２とサブ保護回路３は、電池１の電圧を検出する電圧検出回路５、５と、電圧検出回路５、５で検出される電池電圧が充電禁止電圧まで上昇する状態でオンからオフに切り換えられるスイッチング素子６、６とを備える。主保護回路２とサブ保護回路３は、電圧検出回路５、５で検出するいずれかの電池電圧が充電禁止電圧を超えるとスイッチング素子６、６をオンからオフに切り換える。スイッチング素子６がオフに切り換えられると、電池１の充電電流は遮断される。スイッチング素子６は、放電電流を流す方向に寄生ダイオード７を有するので、オフ状態で電池１の放電を許容する。電池電圧が充電禁止電圧よりも低い状態でスイッチング素子６はオン状態にある。この状態で、パック電池は、電池１を充電できる状態にある。
【００１５】
図２は、主保護回路２とサブ保護回路３の電圧検出回路５を示す。この図の電圧検出回路５は、各々の電池１の電圧を検出する差動アンプ８と、この差動アンプ８から充電される各々の電池電圧を充電禁止電圧に比較するコンパレータ９と、いずれかのコンパレータ９からスイッチング素子６をオフに切り換えるオフ信号が出力されると、この信号をスイッチング素子６であるＦＥＴの入力側に入力する入力回路１０とを備える。
【００１６】
差動アンプ８は、正負の入力端子を各々の電池１の正負の電極に接続している。この差動アンプ８は各々の電池電圧に比例した電圧を出力する。差動アンプは、増幅率を１とするバッファーアンプとすることもできる。バッファーアンプの差動アンプは電池電圧に等しい電圧を出力する。さらに、バッファーアンプである差動アンプは、＋側の入力端子を電池の正極に、−側の入力端子を電池の負極に接続して、電池の電圧をそのまま出力する。
【００１７】
コンパレータ９は、一方の入力端子である＋側の入力端子に差動アンプ８の出力を入力して、他方の入力端子である−側の入力端子には基準電圧として充電禁止電圧を入力している。コンパレータ９の一方の入力端子に入力する基準電圧で、保護回路がスイッチング素子６をオンからオフに切り換える電池電圧が特定される。電池１をリチウムイオン二次電池とするパック電池は、主保護回路２が電池１の電流を遮断する第１の充電禁止電圧を、例えば４．３５Ｖとする。この主保護回路２の電圧検出回路５は、コンパレータ９の一方の入力端子に、４．３５Ｖの基準電圧を充電禁止電圧として入力する。また、サブ保護回路３の第２の充電禁止電圧を４．２５Ｖとする電圧検出回路５は、コンパレータ９の一方の入力端子に、４．２５Ｖの基準電圧を充電禁止電圧として入力する。ただし、主保護回路２が電池１の電流を遮断する第１の充電禁止電圧は、必ずしも４．３５Ｖには特定しない。第１の充電禁止電圧は、たとえば４．２５Ｖよりも高く４．４Ｖよりも低く設定する。第２の充電禁止電圧は、第１の充電禁止電圧よりも低く、例えば４．２Ｖよりも高くて４．２５Ｖよりも低くする。
【００１８】
図２の電圧検出回路５は、いずれかの電池電圧が充電禁止電圧以上になると、コンパレータ９からスイッチング素子６をオフにするオフ信号として”Ｈｉｇｈ”を出力する。入力回路１０はいずれかのコンパレータ９からオフ信号として”Ｈｉｇｈ”の信号が入力されると、スイッチング素子６の入力側であるベースにＦＥＴのオフ信号を出力する。また、入力回路１０は、全てのコンパレータ９からオフ信号でない”Ｌｏｗ”の信号が入力されると、スイッチング素子６をオンに保持するために、スイッチング素子６のベースにオン信号を入力する。
【００１９】
主保護回路２とサブ保護回路３は、電池１から電源電力を供給すると動作状態となる。主保護回路２は常に動作状態（電池１からの電源電力供給経路の図示は省略する）にあるが、サブ保護回路３は電池１が劣化した後に、電源電力を供給して動作状態に切り換える。サブ保護回路３の動作状態は、制御回路４にコントロールされる。
【００２０】
制御回路４は、電池１の劣化度が設定劣化度を超えない状態にあっては、主保護回路２を動作状態として、電池１の電流を遮断する電圧を第１の充電禁止電圧とする。電池１が設定劣化度まで劣化すると、制御回路４はサブ保護回路３を動作状態として、電池１の電流を遮断する電圧を第１の充電禁止電圧から第２の充電禁止電圧に低下させる。以上の動作をする制御回路４は、電池１の劣化を検出する劣化度検出部１１と、サブ保護回路３を動作状態に切り換える設定劣化度を記憶するメモリ１２と、劣化度検出部１１で検出される検出劣化度を、メモリ１２に記憶する設定劣化度に比較して、検出劣化度が設定劣化度を超えて、劣化が進んでいると判定されるとき、電池が劣化した状態と判定し、サブ保護回路３を動作状態に切り換える切換部１３を備える。
なお、本実施例では、劣化度を表す数値が小さいほど、劣化が進んだ状態(後述する最大容量)と判断する方法や、劣化度を表す数値が大きいほど、劣化が進んだ状態(後述する内部抵抗値、サイクル数)と判断する方法とがある。したがって、本明細書においては、検出劣化度が設定劣化度を超えると、劣化が進んだ状態とし、電池が劣化している状態を示している。
【００２１】
劣化度検出部１１は、以下の方法で、劣化度を判定できるが、これ以外の方法でも劣化度の判定が可能である。本実施例では、劣化度を判定する方法として、
（１）内部抵抗にて検出する方法
（２）充電できる最大容量から検出する方法
（３）充放電のサイクル数にて検出する方法
の少なくともひとつの方法を利用できる。
【００２２】
電池の劣化度を、内部抵抗にて検出する方法（１）においては、電池１の内部抵抗を検出して電池１の劣化度を判定する。電池は劣化すると内部抵抗が増加する性質があるので、内部抵抗から劣化度を検出できる。ただし、電池は劣化するにしたがって、充電できる容量も少なくなるので、充電できる最大容量を検出して劣化度を判別することもできる。電池１の内部抵抗（Ｒ）は、電池１に電流を流す状態で、電池１に流れる電流と電圧を検出して以下の式で演算できる。
Ｒ＝（Ｅocv−Ｅccv）／Ｉ
ただし、この式において、Ｅocvは電池の無負荷電圧、Ｅccvは電流Ｉを流す状態での電池電圧、Ｉは電流である。
ここで、ＥocvとＥccvは、電圧検出回路５で検出されて劣化度検出部１１に入力される。また、電池１に流れる電流Ｉは、電池１と直列に接続された電流検出抵抗１６を備える電流検出回路１５で検出されて劣化度検出部１１に入力される。
劣化度検出部１１は、上記の式から演算される電池の内部抵抗（Ｒ）から劣化度を特定する関数やテーブルを記憶しており、記憶される関数やテーブルから電池の劣化度を判定する。さらには、上記検出劣化度として、電池の検出された内部抵抗を用い、メモリ１２に記憶される設定劣化度として設定抵抗値を用いるとき、検出された内部抵抗が設定抵抗値を超えたとき、電池が劣化した状態と判定することもできる。
【００２３】
電池の劣化度を、充電できる最大容量から検出する方法（２）においては、電池の充電できる最大容量（＝実質容量又は学習容量）から電池の劣化度を検出する劣化度検出部は、電池を使用するとき、完全に放電した状態から満充電されるまでの容量を検出し、この容量から劣化度を検出する。この劣化度検出部も、充電できる最大容量から劣化度を検出する関数やテーブルを記憶しており、記憶される関数やテーブルから容量を劣化度に変換する。さらには、上記検出劣化度としてこのような検出された最大容量を用い、メモリ１２に記憶される設定劣化度として設定最大容量を用いるとき、検出された最大容量が設定最大容量より小さくなったとき、電池が劣化した状態と判定する。
【００２４】
また、電池の劣化度を、充放電のサイクル数にて検出する方法（３）においては、劣化度検出部１１において、完全に放電された電池、言い換えると残容量を０％とする電池を満充電した後、完全に放電した状態を１サイクルとカウントし、このようなサイクルを累積したサイクル数を検出し、このサイクル数から劣化度を検出する。この劣化度検出部も、累積したサイクル数から劣化度を検出する関数やテーブルを記憶しており、記憶される関数やテーブルから累積したサイクル数を劣化度に変換する。さらには、上記検出劣化度としてこのような累積したサイクル数を用い、メモリ１２に記憶される設定劣化度として設定サイクル数を用いるとき、検出された累積したサイクル数が設定サイクル数より大きくなったとき、電池が劣化した状態と判定する。さらには、記憶される所定のサイクル数を、累積されるサイクル数が超えたとき、劣化した状態と判定する。
【００２５】
なお、サイクルについては、充放電の繰り返しを示す充放電サイクルの１サイクルを、上述のように、完全に放電された電池を満充電した後、完全に放電した状態のみでなく、充電容量又は放電容量を積算してカウントすることもできる。充電容量からカウントする方法は、充放電される電池の充電容量の積算値を累積する。充電容量の累積量が、その時点での電池の実質容量に達する毎に１サイクルとカウントし、カウントに基づいて、累積サイクル数を増加させている。たとえば、現在の電池の実質容量が１０００ｍＡｈである場合、１回目の充電で５００ｍＡｈ、２回目に２００ｍＡｈ、３回目に３００ｍＡｈの充電を行ったとき、充電容量の累積量が１０００ｍＡｈに達するので、１サイクルの充電を行ったと判定する。この間、電池は、放電を行うこともでき、また、満充電にすることもできる。これらの充電を繰り返し、積算量がその時点での電池の実質容量に達する毎に、サイクル数を増加させる。
【００２６】
また、充電容量に代わって、放電容量の累積量から１サイクルをカウントすることもできる。この方法は、実際の放電容量を累積し、この累積量がその時点での電池の実質容量に達する毎に１サイクルとカウントし、カウントに基づいて、劣化カウンタを増加させている。たとえば、現在の電池の実質容量が１０００ｍＡｈである場合、１回目の放電で５００ｍＡｈ、２回目に２００ｍＡｈ、３回目に３００ｍＡｈの放電充電を行ったとき、放電容量の累積量が１０００ｍＡｈに達するので、１サイクルの放電充電を行ったと判定する。この間、電池は、充電放電を行うこともでき、また、満充電にすることもできる。これらの放電を繰り返し、積算量がその時点での電池の実質容量に達する毎に、サイクル数を増加させている。
【００２７】
また、充電容量又は放電容量に代わって、充電容量と放電容量の累積量から１サイクルをカウントすることもできる。この方法は、実際の充電容量と放電容量を累積し、この累積量がその時点での電池の実質容量の２倍に達する毎に１サイクルとカウントし、カウントに基づいて、劣化カウンタを増加させる。たとえば、現在の電池の実質容量が１０００ｍＡｈである場合、１回目の充電で８００ｍＡｈ、この充電に続く１回目の放電で５００ｍＡｈ、２回目の放電で２００ｍＡｈ、２回目の充電で２００ｍＡｈ、その後に３回目に３００ｍＡｈの充電を行ったとき、充電容量の累積値が１０００ｍＡｈ、放電容量の累積量が１０００ｍＡｈに達するので、充放電の累積値が２０００ｍＡｈとなって、１サイクルの充電を行ったと判定する。
【００２８】
制御回路４の切換部１３は、サブ保護回路３を動作状態とする電源スイッチ１４を制御する。電源スイッチ１４は、電池１の＋側と電圧検出回路５の電源回路（図示せず）との間に接続され、オン状態では電圧検出回路５に電源電力を供給してこれを動作状態とする。電源スイッチ１４がオフ状態にあると、電圧検出回路５には電源電力が供給されず動作状態とならない。切換部１３は、検出される電池１の劣化度が設定劣化度を超えると、電源スイッチ１４をオンに切り換えて、サブ保護回路３を動作状態とする。
【００２９】
図１のパック電池は、制御回路４で主保護回路２の動作状態を制御しない。主保護回路２は常に動作状態に保持される。このパック電池は、電池１が劣化してサブ保護回路３が動作状態になると、電池電圧が上昇するときにサブ保護回路３が電流を遮断する。サブ保護回路３が電流を遮断する第２の充電禁止電圧が、主保護回路２が電流を遮断する第１の充電禁止電圧よりも低いからである。この状態で、サブ保護回路３が故障して正常に動作しない場合、電池１の電圧が第２の充電禁止電圧よりも上昇する。この状態で主保護回路２が動作状態にあるので、主保護回路２が第１の充電禁止電圧で電池１の電圧上昇を阻止する。したがって、主保護回路２を常に動作状態とするパック電池は、サブ保護回路３が故障しても電池電圧が第１の充電禁止電圧よりも高く上昇しない。
【００３０】
ただ、本発明のパック電池は、サブ保護回路が動作状態となるときには、主保護回路を非動作状態に切り換えることもできる。このことを実現するには、図示しないが、主保護回路にも主電源スイッチを介して電池から電力を供給する構造とし、この主電源スイッチを制御回路でオンオフに切り換える構造として実現できる。この制御回路は、サブ保護回路の電源スイッチをオンに切り換える状態では、主電源スイッチをオフに切り換えて、電池が劣化する状態で主保護回路の動作を停止して、サブ保護回路を動作状態とすることができる。
【００３１】
以上のパック電池は、以下の動作で電池の電圧が異常に上昇するのを防止する。
［電池の劣化度が設定劣化度を超えない状態（電池が設定劣化度まで劣化していない状態）］
この状態で主保護回路２のみが動作状態となり、サブ保護回路３は動作状態とならない。制御回路４の劣化度検出部１１が電池１の劣化度を検出し、検出された劣化度が設定劣化度を超えないことから、切換部１３がサブ保護回路３の電源スイッチ１４をオフに保持するからである。劣化が進んでいない電池１は、第１の充電禁止電圧まで充電して安全に、しかも充電容量を大きくして使用される。
【００３２】
［電池の劣化度が設定劣化度を超える状態（電池が設定劣化度まで劣化した状態）］
電池１の劣化度が設定劣化度を超えると、この状態が制御回路４の劣化度検出部１１で検出される。この状態を検出した劣化度検出部１１は、切換部１３でもってサブ保護回路３の電源スイッチ１４をオフからオンに切り換える。電源スイッチ１４がオンになると、サブ保護回路３は電源スイッチ１４を介して電力が供給されて動作状態となる。サブ保護回路３が動作状態になると、第２の充電禁止電圧で電池１の電流が遮断される。第２の充電禁止電圧は第１の充電禁止電圧よりも低い電圧に設定されているので、劣化した電池は、充電されて最高に上昇する電圧を第２の充電禁止電圧に低く制限される。したがって、電池が劣化したパック電池は、最高電圧を低く制限してより安全に使用できる状態となる。
【００３３】
図１のパック電池は、主保護回路２とサブ保護回路３とが専用のスイッチング素子６を備え、各々のスイッチング素子６を直列に接続している。このパック電池は、いずれかのスイッチング素子６をオフに切り換えて充電電流を遮断できる。ただし、本発明のパック電池は、図３に示すように、主保護回路３２とサブ保護回路３３とがひとつのスイッチング素子６を制御して、電池１の充電電流を遮断することもできる。このパック電池のスイッチング素子６は、主保護回路３２とサブ保護回路３３のいずかからオフ信号を入力してオフに切り換えられる。図３は、他の実施例であって、上記の図１、図２の実施例と、同じ構成については、同じ符号を用いて、説明を省略する。
【００３４】
さらに、図１のパック電池は、主保護回路２とサブ保護回路３を別々の専用回路として実装する。図４のパック電池は、第１の充電禁止電圧と第２の充電禁止電圧に切り換えできる保護回路として、単一の保護回路で主保護回路４２とサブ保護回路４３を実現する。このパック電池は、制御回路４の切換部１３が、保護回路の第１の充電禁止電圧と第２の充電禁止電圧を切り換える。すなわち、電池１が設定劣化度よりも劣化したことを劣化度検出部１１が検出すると、保護回路がスイッチング素子６をオフに切り換える充電禁止電圧を、第１の充電禁止電圧から第２の充電禁止電圧に切り換えて低くする。このため、電池１が劣化すると、実質的には主保護回路４２が非動作状態となり、サブ保護回路４３が動作する状態となって、電池１の電圧上昇が第２の充電禁止電圧よりも低く制限される。図４は、他の実施例であって、上記の図１、図２の実施例と、同じ構成については、同じ符号を用いて、説明を省略する。
【図面の簡単な説明】
【００３５】
【図１】本発明の一実施例にかかるパック電池のブロック図である。
【図２】電圧検出回路の一例を示す回路図である。
【図３】本発明の他の実施例にかかるパック電池のブロック図である。
【図４】本発明の他の実施例にかかるパック電池のブロック図である。
【符号の説明】
【００３６】
１…電池
２、３２、４２…主保護回路
３、３３、４３…サブ保護回路
４…制御回路
５…電圧検出回路
６…スイッチング素子
７…寄生ダイオード
８…差動アンプ
９…コンパレータ
１０…入力回路
１１…劣化度検出部
１２…メモリ
１３…切換部
１４…電源スイッチ
１５…電流検出回路
１６…電流検出抵抗
【図１】
2008198434.tif 000003
【図２】
2008198434.tif 000004
【図３】
2008198434.tif 000005
【図４】
2008198434.tif 000006